(57)【要約】      （修正有）【課題】小さな羽毛が、針穴と糸との間に隙間から抜け出すことがない羽毛布団の縫製方法および構造を提供する。【解決手段】縫製方法は、先に、基準布地、複数の収縮性布地および複数の連接布地の三者をこの順に積み重ね、一つの布団ユニットを形成するステップと、続いて、二つの布団ユニットを位置合わせし、二つの布団ユニットにおける連接布地を一対一対応するように縫製するステップと、最後に、二つの基準布地の四辺を一対一対応するように縫製するステップと、を含む。布団ユニットは、順に積み重ねられ縫製された基準布地１、収縮性布地２および連接布地３を含み、二つの基準布地１の四辺は縫製されて密閉の羽毛空間を形成しており、二つの基準布地１における連接布地３は連接されて羽毛空間を複数の独立した羽毛充填空間に分割しており、隣接する羽毛充填空間の間には羽毛充填通路が設けられている。【選択図】図４
2019118801.tif 000002
【特許請求の範囲】
【請求項１】
羽毛布団の縫製方法であって、
先に、基準布地、複数の収縮性布地および複数の連接布地の三者をこの順に積み重ね、一つの布団ユニットを形成するステップと、
続いて、二つの布団ユニットを位置合わせし、二つの布団ユニットにおける連接布地を一対一対応するように縫製するステップと、
最後に、二つの基準布地の四辺を一対一対応するように縫製して密閉した羽毛空間を形成するステップと、
を含む、ことを特徴とする羽毛布団の縫製方法。
【請求項２】
まず、二つの基準布地の四辺をそれぞれ二層構造に折畳み、次に、二つの基準布地の四辺を位置合せしてから縫製する、ことを特徴とする請求項１に記載の羽毛布団の縫製方法。
【請求項３】
二つの基準布地における連接布地は連接されて前記羽毛空間を複数の独立した羽毛充填空間に分割する、ことを特徴とする請求項１に記載の羽毛布団の縫製方法。
【請求項４】
隣接する羽毛充填空間の間には羽毛充填通路が設けられている、ことを特徴とする請求項３に記載の羽毛布団の縫製方法。
【請求項５】
羽毛布団の構造であって、二つの布団ユニットを有し、
各前記布団ユニットは、順に積み重ねられ縫製された基準布地、収縮性布地、連接布地および二つの基準布地の四辺が縫製されて形成された密閉の羽毛空間を含む、
ことを特徴とする羽毛布団の構造。
【請求項６】
前記羽毛布団の構造は、二つの基準布地における連接布地が連接されて前記羽毛空間を分割した複数の独立した羽毛充填空間、および隣接する羽毛充填空間の間に設けられている羽毛充填通路をさらに含む、ことを特徴とする請求項５に記載の羽毛布団の構造。
【請求項７】
前記連接布地は基準布地において「田」字形または菱形に配列されており、前記羽毛充填通路は直線に配列されている、ことを特徴とする請求項６に記載の羽毛布団の構造。
【請求項８】
前記連接布地は経編布地である、ことを特徴とする請求項５に記載の羽毛布団の構造。
【請求項９】
前記基準布地は綿布、絹布、ポリエステル布、綿および絹の混紡布、または綿およびポリエステルの混紡布である、ことを特徴とする請求項５に記載の羽毛布団の構造。
【請求項１０】
前記収縮性布地は、経糸および緯糸の密度が２８０Ｔ以上である収縮性ナイロン布地または収縮性ポリエステル布地である、ことを特徴とする請求項５に記載の羽毛布団の構造。
【発明の詳細な説明】
【技術分野】
【０００１】
本発明は布団分野に関し、特に羽毛布団の縫製方法および構造に関する。
【背景技術】
【０００２】
羽毛布団は保温効果がよく、軽量のため、人々に深く好まれている。既存の羽毛布団は、一般的に、二つの布地が一緒に縫合されて複数の互いに連通する羽毛充填空間を形成し、羽毛がこれらの羽毛充填空間に充填される構造を採用している。布団は完全に体にフィットするため、布団に使用される布地は一般的に綿布、絹布、ポリエステル布、綿および絹の混紡布、または綿およびポリエステルの混紡布である。縫製過程において、針が布地を貫通すると針穴を残し、針穴の直径は針の直径と同じだが、糸の直径は針穴の直径よりはるかに小さい。一方で、綿布、絹布は生地の伸縮性能が非常に悪い（ほぼ収縮できない）ため、針がこれらの生地に穴を開けると、その生地の繊維（ｙａｒｎ）が切られる可能性があり、この穴はほとんど変化がなく、ひいては経時的に大きくなる可能性もある。そのため、針穴と糸との間に隙間が残ってしまい、小さな羽毛はこの隙間から抜け出てくる可能性がある（いわゆる「羽毛の吹き出し」）。
【発明の概要】
【発明が解決しようとする課題】
【０００３】
本発明は上記問題に鑑みてなされたものであって、羽毛布団の縫製方法および構造を提供することを目的とする。
【課題を解決するための手段】
【０００４】
上記目的を達成するための本発明に係る羽毛布団の縫製方法は、
先に、基準布地、複数の収縮性布地および複数の連接布地の三者をこの順に積み重ね、一つの布団ユニットを形成するステップと、
続いて、二つの布団ユニットを位置合わせし、二つの布団ユニットにおける連接布地を一対一対応するように縫製するステップと、
最後に、二つの基準布地の四辺を一対一対応するように縫製して密閉した羽毛空間を形成するステップと、を含む。
【０００５】
上記構造において、布団の二つの表面（即ち、前記基準布地）は直接一緒に縫製されたものではなく、二つの連接布地によって連接されたものであり、各連接布地と各基準布地との間にはいずれも一つの収縮性布地が設置されている。このような収縮性布地は、紡績、捺染から仕上げなどの一連の工程においていずれも原材料および処理剤が精選され、布地が針に刺される際にその繊維が切られるのではなく外へ押し分けられるようにし、針が復帰した後、該生地は針穴が完全に消えるまで針穴を自動的に収縮させる回復能力を有する。そのため、針が生地に穴を開けると、この穴は消えるまで徐々に小さくなる。連接布地と基準布地との間に一つの収縮性布地を設置し、糸により三者をともに縫製した後、基準布地における小さな穴は依然として消えないが、この小さな穴は一つの収縮性布地に密着し、収縮性布地はこの小さな穴の開き口を塞ぐため、羽毛がこの小さな穴から抜き出さないように保証している。同時に、二つの基準布地の間の連接は連接布地によって実現されるため、人が布団の二つの生地（即ち、本明細書における基準布地）を引っ張る際、力は収縮性布地に伝わることなく、収縮性布地が引き裂かれないように確保し、基準布地における小さな穴と収縮性布地との間に隙間が生じないように保証する。全ての互いに対となる連接布地が縫製された後、二つの基準布地の間には複数の互いに独立する羽毛充填空間が形成され、これらの互いに独立する羽毛充填空間の間に通路が残されるように保証するために、具体的には、縫製する際に、二つの互いに対となる連接布地部分を縫製するとともに、一部を空けて縫製せずに通路を形成しておき、羽毛充填機械はこの通路を利用して布団に羽毛を充填する。
【０００６】
上記解決手段において、羽毛布団の表面（基準布地）と糸との間の隙間はナイロン布地によって塞がれ、羽毛布団内部の羽毛は羽毛布団の表面（基準布地）と糸との間の隙間から抜け出すことができない。
【０００７】
好ましくは、上記連接布地は経編布地である。
【０００８】
経編布地は安価であり、強度が高く、かつ経編布地は多孔質布地に属するため、隣接する羽毛充填空間内において互いに流通する気流を形成することができる。各羽毛充填空間内において流れる気流を形成できない場合、そのうちの一つの羽毛充填空間内の羽毛に対する湿気が高すぎると、この羽毛充填空間内の湿気は上下二つの面から外部へ拡散されるしかなく、このように、拡散面積が小さいため、拡散速度が遅く、布団全体の各箇所における保温性および湿気は完全に一致するように保持できない。各羽毛充填空間内の気流が互いに流動可能であれば、該羽毛充填空間内の湿気は周りの羽毛充填空間へ発散し、これらの羽毛充填空間から外部へ拡散することができ、拡散面積が増えるため、拡散速度がより早く、羽毛布団の爽やかさが保証される。同時に、各羽毛充填空間内の気流は流通可能であるため、布団全体の温度および湿度が均一であり、保温効果がさらに好適である。
【０００９】
好ましくは、前記基準布地は綿布、絹布、ポリエステル布、綿および絹の混紡布、または綿およびポリエステルの混紡布である。
【００１０】
任意のハイカウント糸および高密度が羽毛吹き出し防止効果に達した布地であれば、基準布地として使用可能であるが、基準布地は肌に直接接触するため、綿布、絹布、ポリエステル布、綿および絹の混紡布、または綿およびポリエステルの混紡布のような人体に対する親和性のよい布地が好ましい。
【００１１】
好ましくは、前記収縮性布地は、収縮性ナイロン布地または収縮性ポリエステル布地であり、収縮性ナイロン布地または収縮性ポリエステル布地の経糸および緯糸の密度は２８０Ｔ以上である。
【００１２】
本解決手段に使用される収縮性ナイロン布地（または収縮性ポリエステル布地）は、紡績、捺染から仕上げなどの一連の工程においていずれも原材料および処理剤が精選され、布地が針に刺される際にその繊維が切られるのではなく外へ押し分けられるようにし、針が復帰した後、該生地は針穴が完全に消えるまで針穴を自動的に収縮させる回復能力を有し、収縮性ナイロン布地（または収縮性ポリエステル布地）の経糸および緯糸の密度が２８０Ｔより大きい場合のみ、収縮性ナイロン布地は針に貫通された後、針穴を残さない。価格および生地の収縮性能を鑑みると、３８０Ｔの収縮性ナイロン布地（または収縮性ポリエステル布地）が好ましい。
【００１３】
好ましくは、まず、二つの基準布地の四辺をそれぞれ二層構造に折畳み、次に二つの基準布地の四辺を位置合せてから縫製する。
【００１４】
二つの基準布地のそれぞれの四辺は、まず折畳んでから縫製（即ち、コーディング）するため、布団の四辺の縁部には羽毛を残すことなく、羽毛が基準布地と糸との間の隙間から抜け出されることを懸念する必要がない。具体的には、四つの縁部を縫製する際に、まず四つの縁部のうちの三つを縫製し、他の一つの縁部は６ｃｍ〜１２ｃｍの異なる羽毛充填口を残しておき縫製しない。羽毛充填機械が羽毛充填作業を終了した後、最後の一つの縁部における羽毛充填口を縫製する。
【００１５】
上記目的と達成するための本発明に係る羽毛布団の構造は、二つの布団ユニットを有し、各前記布団ユニットは、順に積み重ねられ縫製された基準布地、収縮性布地、連接布地および二つの基準布地の四辺が縫製されて形成された密閉の羽毛空間を含む。
【００１６】
好ましくは、前記羽毛布団の構造は、二つの基準布地における連接布地が連接されて羽毛空間を分割した複数の独立した羽毛充填空間、および隣接する羽毛充填空間の間に設けられている羽毛充填通路をさらに含む。
【００１７】
二つの基準布地が位置合せられた後、各基準布地における連接布地を縫製する。複数の羽毛充填空間を形成する必要があるが、羽毛充填空間内の羽毛が「集まる」現象が生じることを防止するために、羽毛充填空間の体積が大き過ぎになることは好ましくない。そのため、基準布地に複数枚の連接布地を設置する。具体的な設置方式は十字交差式の設置であり、同時に縫製作業者による縫製の便利のために、縦方向に設置されている連接布地は横方向に設置されている連接布地に垂直である。各羽毛充填空間の間には羽毛充填通路を残す必要があり、羽毛充填通路を一つ残すだけで羽毛充填機械の充填作業のニーズを満たすことができるため、実際に縫製する際、上下が互いに対となる縦方向連接布地を全て縫製し、二つの互いに対となる横方向連接布地を縫製する際には、一定の間隔を置きながら一部を縫製することで、上下二つの連接布地の間に縫製の隙間を存在させ、この縫製の隙間は羽毛充填通路である。既存の大多数の羽毛充填機械のサイズを考慮して、縫製の隙間の長さを３ｃｍ〜１０ｃｍの範囲内にしておく。
【００１８】
好ましくは、前記連接布地は基準布地において「田」字形または菱形に配列されており、前記羽毛充填通路は直線に配列されている。
【００１９】
連接布地は基準布地において任意の形状で配列されることができるが、羽毛充填機械の羽毛充填作業の効率を考え、好ましくは、「田」字形または菱形に配列して、羽毛充填通路が直線に配列されるようにすることで、羽毛充填機械の羽毛充填作業を便利にする。
【発明の効果】
【００２０】
本発明によれば、収縮性ナイロン布地（または収縮性ポリエステル布地）の収縮性を十分に利用することにより、羽毛布団の表面（基準布地）と糸との間の隙間を収縮性ナイロン布地（または収縮性ポリエステル布地）によって塞ぐため、羽毛布団内の羽毛がこの隙間から抜け出すことがないように保証し、同時に、羽毛布団内部の伝熱および通気が良好であり、羽毛布団の爽やかさおよび内部温度の均一を保証し、保温効果がよいとの効果を奏する。
【図面の簡単な説明】
【００２１】
【図１】基準布地、収縮性布地および連接布地の三者の縫製構造を示す図である。
【図２】二つの基準布地の間の縫製構造を簡略に示す図である。
【図３】二つの連接布地の縫製構造を示す図である。
【図４】羽毛布団の内部縫製構造を示す図である。
【発明を実施するための形態】
【００２２】
以下、各図面を参照しながら、本発明について詳細に説明する。
図１、２、３および４に示すように、羽毛布団の縫製方法は、先に、基準布地１、複数の収縮性布地２および複数の連接布地３の三者をこの順に積み重ね、一つの布団ユニットを形成するステップと、続いて、二つの布団ユニットを位置合わせし、二つの布団ユニットにおける連接布地３を一対一対応するように縫製するステップと、最後に、二つの基準布地１の四辺を一対一対応するように縫製するステップと、を含む。
【００２３】
上記構造において、布団の二つの表面（即ち、上記基準布地１）は直接一緒に縫製されたものではなく、二つの連接布地によって連接されたものであり、各連接布地と各基準布地１との間にはいずれも一つの収縮性布地２が設置されている。このような収縮性布地２は、紡績、捺染から仕上げなどの一連の工程においていずれも原材料および処理剤が精選され、布地が針に刺される際にその繊維が切られるのではなく外へ押し分けられるようにし、針が復帰した後、該生地は針穴が完全に消えるまで針穴を自動的に収縮させる回復能力を有する。そのため、針が生地に穴を開けると、この穴は消えるまで徐々に小さくなる。連接布地３と基準布地１との間に一つの収縮性布地２を設置し、糸５により三者をともに縫製した後、基準布地１における小さな穴は依然として消えないが、この小さな穴は一つの収縮性布地２に密着し、収縮性布地２はこの小さな穴の開き口を塞ぐため、羽毛がこの小さな穴から抜け出さないように保証する。同時に、二つの基準布地１の間の連接は連接布地３によって実現されるため、人が布団の二つの生地（即ち、本明細書における基準布地）を引っ張る際、力は収縮性布地２に伝わらず、収縮性布地２が引き裂かれないように確保し、基準布地１における小さな穴と収縮性布地２との間に隙間が生じないように保証する。全ての互いに対となる連接布地３が縫製された後、二つの基準布地１の間には複数の互いに独立した羽毛充填空間が形成され、これらの互いに独立した羽毛充填空間の間に羽毛充填通路が残されるように保証するために、具体的には、縫製する際に、二つの互いに対となる連接布地３部分を縫製するとともに、一部を空けて縫製せずに通路を形成しておき、羽毛充填機械はこの通路を利用して布団に羽毛を充填する。
【００２４】
上記解決手段において、羽毛布団の表面（基準布地１）と糸５との間の隙間はナイロン布地によって塞がれ、羽毛布団内部の羽毛は羽毛布団の表面（基準布地１）と糸５との間の隙間から抜け出すことができない。
【００２５】
図１、２、３および４に示すように、連接布地３は経編布地である。
【００２６】
経編布地は安価であり、強度が高く、かつ経編布地は多孔質布地に属するため、隣接する羽毛充填空間内において互いに流通する気流を形成することができる。各羽毛充填空間内において流れる気流を形成できない場合、そのうちの一つの羽毛充填空間内の羽毛に対する湿気が高すぎると、この羽毛充填空間内の湿気は上下二つの面から外部へ拡散されるしかなく、このように、拡散面積が小さいため、拡散速度が遅く、布団全体の各箇所における保温性および湿気は完全に一致するように保持できない。各羽毛充填空間内の気流が互いに流動可能であれば、該羽毛充填空間内の湿気は周りの羽毛充填空間へ発散し、これらの羽毛充填空間から外部へ拡散することができ、拡散面積が増えるため、拡散速度がより早く、羽毛布団の爽やかさが保証される。同時に、各羽毛充填空間内の気流は流通可能であるため、布団全体の温度および湿度が均一であり、保温効果がさらに好適である。
【００２７】
図１、２、３および４に示すように、基準布地１は綿布、絹布、ポリエステル布、綿および絹の混紡布、または綿およびポリエステルの混紡布である。
【００２８】
任意のハイカウント糸および高密度が羽毛吹き出し防止効果に達した布地であれば、基準布地１として使用可能であるが、基準布地は肌に直接接触するため、綿布、絹布、ポリエステル布、綿および絹の混紡布、または綿およびポリエステルの混紡布のような人体に対する親和性のよい布地が好ましい。
【００２９】
図１、２、３および４に示すように、収縮性布地２は、収縮性ナイロン布地または収縮性ポリエステル布地であり、収縮性ナイロン布地または収縮性ポリエステル布地の経糸および緯糸の密度は２８０Ｔ以上である。
【００３０】
本解決手段に使用される収縮性ナイロン布地（または収縮性ポリエステル布地）は、紡績、捺染から仕上げなどの一連の工程においていずれも原材料および処理剤が精選され、布地が針に刺される際にその繊維５が切られるのではなく外へ押し分けられるようにし、針が復帰した後、該生地は針穴が完全に消えるまで針穴を自動的に収縮させる回復能力を有し、収縮性ナイロン布地（または収縮性ポリエステル布地）の経糸および緯糸の密度が２８０Ｔより大きい場合のみ、収縮性ナイロン布地は針に貫通された後、針穴を残さない。価格および生地の収縮性能を鑑みると、３８０Ｔの収縮性ナイロン布地（または収縮性ポリエステル布地）が好ましい。
【００３１】
図１、２、３および４に示すように、まず、二つの基準布地１の四辺をそれぞれ二層構造に折畳み、次に二つの基準布地１の四辺を位置合せてから縫製する。
【００３２】
二つの基準布地１のそれぞれの四辺は、まず折畳んでから縫製（即ち、コーディング）するため、布団の四辺の縁部に羽毛を残すことなく、羽毛が基準布地１と糸５との間の隙間から抜け出されることを懸念する必要がない。具体的には、四つの縁部を縫製する際に、まず四つの縁部のうちの三つを縫製し、他の一つの縁部は６ｃｍ〜１２ｃｍの異なる羽毛充填口を残しておき縫製しない。羽毛充填機械が羽毛充填作業を終了した後、最後の一つの縁部における羽毛充填口を縫製する。
【００３３】
羽毛布団の構造であって、二つの布団ユニットを有し、該布団ユニットは、順に積み重ねられ縫製された基準布地１、収縮性布地２および連接布地３を含み、二つの基準布地１の四辺は縫製されて密閉の羽毛空間を形成しており、二つの基準布地１における連接布地３は連接されて羽毛空間を複数の独立した羽毛充填空間に分割しており、隣接する羽毛充填空間の間には羽毛充填通路が設けられている。
【００３４】
二つの基準布地１が位置合せられた後、各基準布地１における連接布地３を縫製する。複数の羽毛充填空間を形成する必要があるが、羽毛充填空間内の羽毛が「集まる」現象が生じることを防止するために、羽毛充填空間の体積が大き過ぎになることは好ましくない。そのため、基準布地１に複数枚の連接布地３を設置する。具体的な設置方式は、十字交差式の設置であり、同時に、縫製作業者による縫製の便利のために、縦方向に設置されている連接布地３は横方向に設置されている連接布地３に垂直である。各羽毛充填空間の間には羽毛充填通路４を残す必要があり、羽毛充填通路４を一つ残すだけで羽毛充填機械の羽毛充填作業のニーズを満たすことができるため、具体的に縫製する際に、上下に互いに対となる縦方向連接布地３を全て縫製し、二つの互いに対となる横方向連接布地３を縫製する際には、一定の間隔を置きながら一部を縫製することで、上下二つの連接布地３の間に縫製の隙間を存在させ、この縫製の隙間は羽毛充填通路４である。既存の大多数の羽毛充填機械のサイズを考慮して、縫製の隙間の長さを３ｃｍ〜１０ｃｍの範囲内にしておく。
【００３５】
図１、２、３および４に示すように、連接布地３は基準布地１において「田」字形または菱形に配列されており、羽毛充填通路４は直線に配列されている。
【００３６】
連接布地３は基準布地１において任意の形状で配列されることができるが、羽毛充填機械の羽毛充填作業が便利であることを考慮し、好ましくは、「田」字形または菱形に配列され、羽毛充填通路４が直線に配列されるようにすることで、羽毛充填機械の羽毛充填作業を便利にする。
【００３７】
以上は、本発明の好ましい実施形態に過ぎず、本発明の特許請求の範囲を限定するものではない。本発明の明細書および図面の内容により行われた均等の構造変換を利用し、その他の関連技術分野に直接または間接的に適用されるものは、同様にいずれも本発明の保護範囲に含まれる。
【符号の説明】
【００３８】
１  基準布、
２  収縮性布地、
３  連接布地、
４  羽毛充填通路、
５  糸。
【図１】
2019118801.tif 000003
【図２】
2019118801.tif 000004
【図３】
2019118801.tif 000005
【図４】
2019118801.tif 000006